(57)【要約】【課題】一連の手洗い消毒行為を強制的に自動的に決められた順序と時間で実行させ、作業者の個人差を排除し、より完全な手洗い消毒行為を実行させる。【解決手段】電磁弁を介して水道水を吐出する水道水吐出部と、石鹸液吐出ポンプを介して石鹸液タンクの石鹸液を吐出する石鹸液吐出部と、消毒液吐出ポンプを介して消毒液タンクの消毒液を吐出する消毒液吐出部と、手の有無を検出するセンサとを備え、前記センサが手を検知した時、前記電磁弁、前記石鹸液吐出ポンプ、前記消毒液吐出ポンプを所定のプログラムに基づいて制御する制御部を設けたもの。【選択図】図３
2005264638.tif 000002
【特許請求の範囲】
【請求項１】
電磁弁を介して水道水を吐出する水道水吐出部と、石鹸液吐出ポンプを介して石鹸液タンクの石鹸液を吐出する石鹸液吐出部と、消毒液吐出ポンプを介して消毒液タンクの消毒液を吐出する消毒液吐出部と、手の有無を検出するセンサとを備え、前記センサが手を検知した時、前記電磁弁、前記石鹸液吐出ポンプ、前記消毒液吐出ポンプを所定のプログラムに基づいて制御する制御部を設けたことを特徴とする手洗消毒装置。
【請求項２】
特許請求の範囲第１項記載の手洗消毒装置において、前記水道水吐出部と、前記石鹸液吐出部と、前記消毒液吐出部と、前記センサとが、同一場所で手洗い消毒行為ができるように近接して配設することを特徴とする手洗消毒装置。
【請求項３】
特許請求の範囲第１項記載の手洗消毒装置において、前記制御部は、前記センサが手を検知した時、前記電磁弁を第１所定時間だけ動作させ、次に前記石鹸液ポンプを第２所定時間だけ動作させ、次に第３所定時間が経過した後第４所定時間内に前記センサが手を検知した時前記電磁弁を第５所定時間だけ動作させ、次に前記消毒液吐出ポンプを第６所定時間だけ動作させ、次に第７所定時間が経過した後第８所定時間内に前記センサが手を検知した時前記電磁弁を第９所定時間だけ動作させるように制御することを特徴とする手洗消毒装置。
【請求項４】
特許請求の範囲第３項記載の手洗消毒装置において、前記制御部は、前記石鹸液吐出ポンプが前記第２所定時間だけ動作した後、前記第４所定時間が経過してから前記センサが手を検知した時、最初の状態から制御を開始させることを特徴とする手洗消毒装置。
【請求項５】
特許請求の範囲第３項記載の手洗消毒装置において、前記制御部は、前記消毒液吐出ポンプが前記第５所定時間だけ動作した後、前記第８所定時間が経過してから前記センサが手を検知した時、最初の状態から制御を開始させることを特徴とする手洗消毒装置。
【発明の詳細な説明】
【技術分野】
【０００１】
本発明は、手洗い消毒を確実に行わせるようにした自動手洗消毒装置に関する。
【背景技術】
【０００２】
食品加工工場、飲食店の厨房、スーパーマーケットのバックヤードや医療施設等において手作業に従事する人々は、衛生管理上、細菌が付着していないきれいな手が要求され、完全な手洗い消毒を行う必要がある。このような場合、従来は、石鹸や消毒液を洗面所に備えておき、各作業者がそれぞれ自分で石鹸や消毒液を使って手洗い消毒を行っていた。
【０００３】
また、近年では、給水ノズルの近くに石鹸液や消毒液を吐出するノズルを配設し、それぞれに手を検出するセンサを設け、各ノズルの近くに手をやると自動的に給水、石鹸液の吐出、消毒液の吐出を行わせて効率よく手洗い消毒を行うようにした装置などが提案されている。また、この場合、各センサが接近して配設されているのでいずれかのセンサが動作すると一時的に他のセンサの検出感度を低下させて重複動作を防止し効率よく手洗い消毒を行うようにした装置などが提案されている。
【特許文献１】実開平６−１２５６６号公報
【特許文献２】特開２００３−１０５８１９号公報
【発明の開示】
【発明が解決しようとする課題】
【０００４】
完全な手洗い消毒を行うためには、水洗、石鹸洗浄、水洗、消毒殺菌、水洗という手洗い消毒行為を決められた順序と動作時間でおこなわなければならない、しかしこの手洗い消毒行為は作業者の自由意志に任されていて各作業者に個人差があり現状では必ずしも完全な手洗い消毒行為が行われていないという問題がある。
【０００５】
本発明は、上記問題を解決するためになされたもので、作業者が特に意識しなくても、決められた手洗手順、手洗時間で強制的に手洗い消毒行為を実行させ、自動的により完全な手洗い消毒を行うことができる自動手洗い消毒装置を提供することを目的としている。
【課題を解決するための手段】
【０００６】
本発明は上記目的を達成するために、電磁弁を介して水道水を吐出する水道水吐出部と、石鹸液吐出ポンプを介して石鹸液タンクの石鹸液を吐出する石鹸液吐出部と、消毒液吐出ポンプを介して消毒液タンクの消毒液を吐出する消毒液吐出部と、手の有無を検出するセンサとを備え、前記センサが手を検出した時、前記電磁弁、前記石鹸液吐出ポンプ、前記消毒液吐出ポンプを所定のプログラムに基づいて制御する制御部を設けたものである。
【０００７】
また、前記水道水吐出部と、前記石鹸液吐出部と、前記消毒液吐出部と、前記センサとが、同一場所で手洗い消毒行為ができるように近接して配設する。
【０００８】
また、前記制御部は、前記センサが手を検出した時、前記電磁弁を第１所定時間だけ動作させ、次に前記石鹸液ポンプを第２所定時間だけ動作させ、次に第３所定時間が経過した後第４所定時間内に前記センサが手を検出した時前記電磁弁を第５所定時間だけ動作させ、次に前記消毒液吐出ポンプを第６所定時間だけ動作させ、次に第７所定時間が経過した後第８所定時間内に前記センサが手を検出した時前記電磁弁を第９所定時間だけ動作させるように制御する。
【０００９】
また、前記制御部は、前記石鹸液吐出ポンプが前記第２所定時間だけ動作した後、前記第４所定時間が経過してから前記センサが手を検出した時、最初の状態から制御を開始させる。
【００１０】
また、前記制御部は、前記消毒液吐出ポンプが前記第５所定時間だけ動作した後、前記第８所定時間が経過してから前記センサが手を検出した時、最初の状態から制御を開始させる。
【発明の効果】
【００１１】
本発明によれば、センサが手を検出した時、前記制御部によって、前記電磁弁、前記石鹸液吐出ポンプ、前記消毒液吐出ポンプを所定のプログラムに基づいて制御することにより、水洗、石鹸洗浄、消毒という動作を任意に設定し、一連の手洗い消毒行為として自動的に強制的に行わせることができ、個人差を排除して完全な手洗い消毒を行うことが可能になる。
【００１２】
また、センサが手を検出する同一場所で上記一連の手洗い消毒行為を行うことが可能となる。
【００１３】
また、水洗、石鹸洗浄、水洗、消毒、水洗という一連の順で手洗い消毒行為を自動的に強制的に行わせることができ、より完全な手洗い消毒を行うことが可能になる。
【００１４】
また、石鹸洗浄終了後または消毒終了後に手洗い消毒の現場を一旦離れ、再びセンサが手を検出した時、水洗、石鹸洗浄、水洗、消毒、水洗という一連の順の手洗い消毒行為を最初から行わせることができ、より完全な手洗い消毒を行うことが可能になる。
【発明を実施するための最良の形態】
【００１５】
以下、本発明の実施の形態を図１〜図４に基づいて説明する。
図１は本発明による自動手洗消毒装置の使用形態例を解りやすく示した図で、本発明の自動手洗消毒装置２１が流し台３２の壁面３１に取り付けられて使用された例を示したものである。自動手洗消毒装置２１には外部から駆動電力を供給するための配線２２が接続され、水道から手洗い用の水を供給する水道管２３が接続されている。
【００１６】
図２は上記自動手洗消毒装置２１のカバーを取り外した内部構造を示したものである。また、図３は本発明の手洗消毒装置の作用を説明するための機能ブロック構成図である。
【００１７】
図２および図３において、１は水道に接続する水道管、２は水道水の給水停止を行うための電磁弁、３は水道水を吐出する水道水吐出ノズル、４は石鹸液が蓄えられた石鹸液タンク、５は石鹸液タンク４に蓄えられた石鹸液を送り出すための石鹸液吐出ポンプ、６は送り出された石鹸液を吐出する石鹸液吐出ノズル、７は消毒液が蓄えられた消毒液タンク、８は消毒液タンク７に蓄えられた消毒液を送り出すための消毒液吐出ポンプ、９は送り出された消毒液を吐出する消毒液吐出ノズル、１０は作業者の手を検出するためのセンサ、１１はセンサ１０の信号に基づき内部に備えている所定のプログラムに基づいて、電磁弁２、石鹸液吐出ポンプ５、消毒液吐出ポンプ８を制御する制御部である。
【００１８】
上記構成において、水道水吐出ノズル３、石鹸液吐出ノズル６、消毒液吐出ノズル９は図２に示したように同一場所で手洗い消毒行為ができるように近接して配設され、センサ１０はその同一場所に手を置いたとき検出するように設置されている。
制御部１１は外部から駆動電力が供給され、電磁弁２、石鹸液吐出ポンプ５、消毒液吐出ポンプ８、センサ１０にそれぞれ接続されており、制御部１１の内部に備えた図示しない制御プログラムによってそれぞれの制御を行っている。
なお、水道１は温水を用いることもできる。
【００１９】
図４は制御部１１の作用を説明するためのフローチャートで、制御プログラムの実施例を示したものである。以下、図４に基づいて本発明の手洗消毒装置の動作順序を説明する。
【００２０】
制御プログラムがスタンバイからスタートすると、ステップ１でセンサ１０の検出信号を監視する判定手段が機能を開始し、センサ１０が手を検出したか否かをチェックし、手が検出されなければ検出されるまでチェック動作が継続される。作業者が手洗いするために本装置のノズルの下に手を差し出すとセンサ１０が手を検出し次のステップ２へ移行する。
【００２１】
ステップ２では、水道水が吐出されるように電磁弁２を数秒間（ｔ１：例えば２秒から５秒の任意の時間だけ）動作させた後、ステップ３で所定量の石鹸液が吐出されるように石鹸液吐出ポンプ５を数秒間（ｔ２：例えば１秒から５秒の任意の時間だけ）動作させて次のステップ４へ進める。
作業者はステップ２で水を手のひらに受けて手全体を濡らし石鹸の濡れ性をよくし石鹸がよく泡立ようにした後、ステップ３で石鹸液を手のひらに受けて手指全体をよく擦って石鹸を泡たて、汚れを手指の表面から除去する。
【００２２】
ステップ４は確実な石鹸洗浄を行わせるために、上記の泡たて石鹸洗浄時間の最短値（ｔ３：例えば８秒から３０秒の任意の時間）を設定したものでこの間プログラムの進行を停止させ、この時間が経過するとステップ５へ進める。
【００２３】
ステップ５は泡たて時間の最長値（ｔ４）を判定するためのもので、この値（t４：例えば０から30秒の任意の時間）以下の時ステップ６に進め、この値（t４）を超えたときはステップ１へ戻す。
ステップ６でセンサ１０が手を検出した時、ステップ７で電磁弁２を数秒間（ｔ５：例えば５秒から３０秒の任意の時間だけ）動作させ、次のステップ８で消毒液吐出ポンプ８を数秒間（ｔ６：例えば１秒から５秒の任意の時間だけ）動作させ、ステップ９へ進める。
作業者はステップ７で手に付いた石鹸液を水道水で洗い流した後、ステップ８で消毒液で手を消毒する。
【００２４】
ステップ９は確実な消毒を行わせるために、上記の消毒時間の最短値（ｔ７：例えば８秒から３０秒の任意の時間）を設定したものでこの間プログラムの進行を停止させ、作業者はこの間に万遍なく消毒液を手に塗りつける。そして、この時間が経過するとステップ１０へ進める。
ステップ１０は手の消毒時間の最長値（ｔ８）を判定するためのもので、この値（t８：例えば０から30秒の任意の時間）以下の時ステップ１１に進め、この値（t８）を超えたときはステップ１へ戻す。
【００２５】
ステップ１１でセンサ１０が手を検出した時、ステップ１２で電磁弁２を数秒間（ｔ５：例えば５秒から３０秒の任意の時間だけ）動作させ、プログラムの最初の状態（ステップ１）へリターンさせる。
作業者はステップ１２で手に付いた消毒液を水道水で洗い流し、手洗い消毒を終了する。
【００２６】
なお、消毒液吐出部９を消毒液を霧状に吐出する噴霧ノズルとすることにより、手指全体に万遍なく消毒液を塗布することができる。
【図面の簡単な説明】
【００２７】
【図１】本発明による自動手洗消毒装置の使用形態を示す図。
【図２】自動手洗消毒装置の内部構成の例を示す図。
【図３】本発明の機能ブロック構成図。
【図４】本発明の作用を説明するためのフローチャート。
【符号の説明】
【００２８】
１  水道
２  電磁弁
３  水道水吐出部
４  石鹸液タンク
５  石鹸液吐出ポンプ
６  石鹸液吐出部
７  消毒液タンク
８  消毒液吐出ポンプ
９  消毒液吐出部
１０  センサ
１１  制御部
２１  本発明の自動手洗消毒装置
２２  配線
２３  水道管
３１  壁
３２  流し台
【図１】
2005264638.tif 000003
【図２】
2005264638.tif 000004
【図３】
2005264638.tif 000005
【図４】
2005264638.tif 000006